(57)【要約】  本発明は、潜水艇または潜水艦（Ｓ）の迅速な出現のための、ならびに／もしくは、潜水艇または潜水艦（Ｓ）の移動または進行を制御するための、グループまたはシステムに関する。
2020523253.tif 000002
【特許請求の範囲】
【請求項１】
潜水艇または潜水艦（Ｓ）の迅速な出現のための、ならびに／もしくは、潜水艇または潜水艦（Ｓ）の移動または進行を制御するための、グループまたはシステムであって、前記グループまたはシステムは燃焼室（２）を画定し、固体燃料（２ａ）の質量を含み、前記固体燃料（２ａ）の質量は、前記燃焼室（２）内に収容され、もしくは、前記燃焼室（２）と、流体酸化剤の容器（４）と、前記燃焼室（２）の上部または下流に搭載された、燃焼ガスを分配するための装置（６）とに通じており、前記グループは、前記容器（４）から出る前記流体酸化剤を分解または分離するためにセットされた分解ユニット（３）を含み、前記燃焼室（２）は、前記分解ユニット（３）の上部または下流に搭載され、前記分解ユニット（３）から分解または分離された前記流体酸化剤は、前記燃焼室（２）へ分配されて前記固体燃料と接触し、前記流体酸化剤と前記固体燃料（２ａ）との燃焼反応を引き起こし、前記流体酸化剤および前記固体燃料の燃焼ガスが前記分配装置（６）を用いて放出されるようになっている、グループまたはシステム。
【請求項２】
前記流体酸化剤は、水に対する質量比濃度が７０％または８０％を上回る過酸化水素を含む、請求項１に記載のグループ。
【請求項３】
前記分解ユニットは触媒床を含む、請求項１または２に記載のグループ。
【請求項４】
前記触媒床は、前記流体酸化剤のための曲がりくねった経路を規定するためにセットされた、網、または格子、または複数の積層格子、または複数の小球を含む、先行する請求項のいずれか１項に記載のグループ。
【請求項５】
前記固体燃料は不活性材料を含む、先行する請求項のいずれか１項に記載のグループ。
【請求項６】
前記不活性材料は、パラフィン、熱可塑性材料、または熱硬化性材料によって構成される群から選択される、請求項５に記載のグループ。
【請求項７】
前記過酸化水素は、１０ｐｐｍを上回る含有量の安定化剤で安定化される、先行する請求項のいずれか１項に記載のグループ。
【請求項８】
前記分解ユニット（３）と前記燃焼室（２）との間に配置されて、前記流体酸化剤の分解の化合物の渦流を発生させ、前記渦流を前記燃焼室（２）において、次に前記固体燃料（２ａ）の質量上へ分配するためにセットされる、渦流を発生させるための装置（１０）を含む、先行する請求項のいずれか１項に記載のグループ。
【請求項９】
渦流の発生のための前記装置（１０）は、螺旋または渦巻または湾曲パターンを有する１つまたは複数の貫通孔（１２）を画定するプレート（１１）を含む、請求項８に記載のグループ。
【請求項１０】
前記分配装置（６）は、潜水艇または潜水艦（Ｓ）のバラスト水貯蔵タンク（Ｂ）に前記燃焼ガスを放出するためにセットされる、先行する請求項のいずれか１項に記載のグループ。
【請求項１１】
前記分配装置（６）は、前記燃焼室（２）の上部に搭載された、または前記燃焼室（２）と流体連通するノズル（６ａ）と、放出器（６ｂ）と、冷却流体のタンクと前記ノズル（６ａ）または放出器（６ｂ）との間に延ばされた供給管（６ｃ）とを含み、前記燃焼室（２）から出る燃焼ガスが前記ノズル（６ａ）に入ることを可能にし、それぞれのタンクからの前記冷却流体が前記供給管（６ｃ）に吸込まれ、次に前記燃焼ガスとともに前記放出器（６ｂ）に吸込まれることを引き起こして、前記燃焼ガスを冷却する、先行する請求項のいずれか１項に記載のグループ。
【請求項１２】
前記流体酸化剤を前記容器（４）から前記分解ユニット（３）に向かって押し進めることができる推力または加圧ユニット（５）を含む、先行する請求項のいずれか１項に記載のグループ。
【請求項１３】
前記推力または加圧ユニット（５）は、加圧流体の受容器を含む、請求項１２に記載のグループ。
【請求項１４】
加圧流体の前記受容器（５）を前記容器（４）と流体連通するように配置するためにセットされる輸送管と、前記輸送管を遮る第１のバルブアセンブリ（８）とを含む、請求項１３に記載のグループ。
【請求項１５】
流体酸化剤の送出、またはそのような酸化剤を前記容器（４）から前記分解ユニット（３）へ分配するための通路を遮るためにセットされた第２のバルブアセンブリ（９）を含む、先行する請求項のいずれか１項に記載のグループ。
【請求項１６】
バラスト流体用の少なくとも１つの貯蔵タンク（Ｂ）と、前記少なくとも１つの貯蔵タンク（Ｂ）内に収容されるかまたはいずれにせよ前記少なくとも１つの貯蔵タンク（Ｂ）に通じる、先行する請求項のいずれか１項に記載の少なくとも１つのグループ（１）とを含み、前記少なくとも１つのグループ（１）の前記分配装置（６）は、前記少なくとも１つの貯蔵タンク（Ｂ）に通じており、前記分配装置（６）は、前記少なくとも１つのグループ（１）において発生した燃焼ガスを前記少なくとも１つの貯蔵タンク（Ｂ）に供給するためにセットされ、前記少なくとも１つの貯蔵タンク（Ｂ）を空にすることを引き起こすようになっている、潜水艇または潜水艦。
【請求項１７】
潜水艇または潜水艦（Ｓ）の迅速な出現のための、ならびに／もしくは、潜水艇または潜水艦（Ｓ）の移動または進行を制御するための、方法であって、
−  請求項１〜１５のいずれか１項に記載のグループを配置するステップと、
−  それぞれの分配装置（６）が前記潜水艇または潜水艦（Ｓ）の少なくとも１つの流体バラスト貯蔵タンク（Ｂ）に通じるような態様で、前記グループを収容するステップと、
−  前記分解ユニット（３）が前記流体酸化剤を分解または分離するように、前記分解ユニット（３）に対する前記流体酸化剤の送出を制御するステップと、
−  前記燃焼室（２）への前記流体酸化剤の分解の化合物の送出を制御または決定して前記固体燃料（２ａ）と接触させ、前記流体酸化剤の分解の前記化合物と前記固体燃料（２ａ）との燃焼反応を引き起こし、それによって燃焼ガスを発生させるステップと、
−  前記少なくとも１つの貯蔵タンク（Ｂ）において前記分配装置（６）を用いて前記燃焼ガスを放出し、前記少なくとも１つの貯蔵タンク（Ｂ）を空にすることを引き起こすステップとを含む、方法。
【請求項１８】
渦流の発生のための前記装置（１０）において前記流体酸化剤の分解の前記化合物の送出を駆動しまたは引き起こし、前記化合物の渦流を発生させ、前記渦流を前記燃焼室（２）に、ひいては前記固体燃料（２ａ）の質量上に送出するステップを含む、請求項８に記載の装置を用いる請求項１７に記載の方法。
【発明の詳細な説明】
【技術分野】
【０００１】
発明の技術分野
本発明は、緊急状態における潜水艇または潜水艦の迅速な出現のための、ならびに／もしくは、潜水艇または潜水艦の移動または進行を制御するための、グループまたはシステムに関する。
【背景技術】
【０００２】
先行する最新技術
以下にＥＢＤとも呼ばれる、緊急状態における潜水艦の迅速な出現のためのシステムは、船が人員の命にとっての潜在的危険を有する緊急状態にある場合に浮上を可能にするために潜水艦でよく使用されるユニットである。
【０００３】
最初のＥＢＤシステムは圧縮ガスに基づいたものであり、動作および最充填が比較的簡単であったが、当該システムは、特に非常に深い所で、体積および重量の点で大きい不利益を有していた。
【０００４】
したがって、たとえばヒドラジンなどの液体推進剤の分解によって発生した高温ガスに基づいたシステムが導入されてきた。これらのシステムは、ドイツ製の潜水艦で広範に使用され、低温ガスを用いるものと比べてはるかに少ない動作体積を可能にしたが、当該システムはかなりの安全性の問題を伴った。したがって、これらの解決策は徐々に、固体推進剤に基づいたシステムに置換えられてきたが、それらはいったん起爆される（primed）と制御できず、また、管理および交換が極めて高価である。
【０００５】
長年の間、高温ガス発生システムが、深く潜水した状態でも迅速な出現を可能にするような貯蔵タンクの緊急排出のために使用されてきた。当該システムは、保持タンク内の推進剤のより優れた特定の作用、より大きい質量流、およびより大きい密度のおかげで達成可能な限られた体積負担のために、圧縮空気に基づいたシステムの重要な代替案を表わす。
【０００６】
この点に関し、７０年代には、触媒床におけるヒドラジンの分解に基づいた迅速な出現のシステムが開発され、当該システムは、その汎用性、および圧縮空気システムと比べて限られた体積のおかげで、ドイツおよび世界のその他の国々でいくつかの潜水艦において使用された。しかしながら、この解決策は、貯蔵タンクにポケットを形成する場合に爆発の危険を有する、ヒドラジンの分解における大量の水素の生成に関するいくつかの問題と、ヒドラジンの極度の毒性および発ガン性に関する問題とを有する。
【０００７】
ＩＮＧＡ（Inert Gas Generator：不活性ガス発生器）と呼ばれる、硝酸ストロンチウム／ＧＡＰという固体推進剤に基づいた代替システムが、９０年代の終わりに開発された。ＩＮＧＡは、異なるユニットに設置されたシステムであるにもかかわらず、固体推進剤に基づいたシステムであるために、いったんスイッチオンされるとオフにすることができず、動作中に制御することができない。また、これは固体推進剤であるため、システムは、それが衝突された場合に爆発する可能性があり、それはまた、輸送、組立て、および分解中にかなりの注意を必要とし、結果としてコストの上昇を伴う。
【０００８】
また、このシステムの供給時間および交換時間は迅速ではなく、最充填のために長時間の停止を潜水艦ユニットに課す。
【０００９】
そのような解決策では、バラスト排出（deballasting）、すなわち、出現のために必要な液体の流出または放出を制御することはほぼ不可能であり、これは、構成要素の購入および交換のための高いコストと組合されると、船上で周期的にチェックすることができない総合的動作を決定し、乗組員が動作訓練を受けることを妨げる。
【００１０】
ＤＥ１９７０４５８７Ａ１は、先行技術に従った解決策を開示する。
【発明の概要】
【発明が解決しようとする課題】
【００１１】
発明の目的
本発明の一目的は、潜水艇または潜水艦の迅速な出現のための新しいグループまたはシステムを提供することである。
【００１２】
本発明の別の目的は、非常に汎用性が高い、上述のようなグループを提供することである。
【００１３】
本発明の別の目的は、希望通り始動され停止され得る、上述のようなグループを提供することである。
【００１４】
本発明の別の目的は、以前に提案されたシステムよりも少ない開発、管理および再充填コストを有する、潜水艇または潜水艦の迅速な出現のためのグループまたはシステムを提供することである。
【００１５】
本発明の別の目的は、現在の解決策よりも安全である、潜水艇または潜水艦の迅速な出現のためのグループまたはシステムを提供することである。
【００１６】
本発明の別の目的は、操縦原動力（manoeuvring wheels）が十分でない場合に操縦原動力を支援するためのグループまたはシステムを提供することである。
【課題を解決するための手段】
【００１７】
発明の一局面によれば、請求項１に記載のグループが提供される。
従属請求項は、この発明の好ましく有利な実施形態に言及する。
【００１８】
図面の簡単な説明
この発明の他の特徴および利点は、添付図面に例として示されたガス発生器の実施形態例の開示から、より明らかになるであろう。
【図面の簡単な説明】
【００１９】
【図１】本発明に従ったガス発生器の概略図である。
【図２】渦流を得るためのガス発生器の構成要素の概略図である。
【図３】本発明に従ったガス発生器を１つ以上有する潜水艦の概略図である。
【発明を実施するための形態】
【００２０】
添付図面では、同一の部品または構成要素は、同じ参照番号によって識別される。
発明の実施形態
本開示では、「下流」という用語は、グループにおける流体の移動方向に関連しており、たとえば第１および第２の構成要素について、「第１の構成要素は第２の構成要素の下流にある」という表現は、グループの第１の構成要素が第２の構成要素の後に配置され、したがって、それぞれの流体または第２の構成要素における処理後の流体を処理する、ということを示す。
【００２１】
本発明は、潜水艇または潜水艦Ｓの迅速な出現のための、ならびに／もしくは、潜水艇または潜水艦Ｓの移動または進行を制御するための、ガス発生器またはグループまたはシステム１に関し、グループまたはシステム１は、乗物（潜水艇または潜水艦）を上方に押すことによって、または乗物を傾けて進路変更することによって静力学平衡を変更するガスを発生させる。
【００２２】
グループまたはシステム１は燃焼室２を画定し、そこでは、高温ガスまたは燃焼ガスを発生させるプロセスが固体燃料質量２ａを通して行なわれる。固体燃料質量２ａは燃焼室２内に収容され、もしくは、燃焼室２と、過酸化水素（Ｈ２Ｏ２）、酸素または亜酸化窒素といった、たとえば液体または気体、またはそれら２つの混合物である流体酸化剤の供給および分解循環路または構成要素とに通じている。
【００２３】
過酸化水素または亜酸化窒素は、好ましくは圧力を受けずに、容器４に貯蔵されている。希望すれば、前記構成要素の吸引または推力ラインを規定する流体酸化剤の供給または抽出パイプ４ａが、容器４に設けられる。
【００２４】
また、流体酸化剤が過酸化水素である場合、それは、水に対して７０質量％または８０質量％を上回る濃度で、もしくは、好ましくは９０質量％を上回る濃度で、容器４内に存在する。
【００２５】
好ましくは、容器４内の過酸化水素は、１０ｐｐｍ未満の含有量の安定化剤で安定化される。これは、過酸化水素が容器４内で分解せず、したがってそれは流体酸化剤の爆発の危険または有効性の損失をかなり減少させる、ということを明らかに保証する。
【００２６】
グループ１は次に、触媒床または触媒系などの分解ユニット３を容器４の下流に含み、それは、容器４から出る流体酸化剤を分解または分離するように、たとえば、過酸化水素をガス状酸素と水蒸気とに分解するように設計されている。分解反応はエネルギーを発生させるため、ガス状酸素と水蒸気とは高温であろう。
【００２７】
触媒床３は、容器４の上部に、希望すれば、供給または抽出パイプ４ａを通る流体酸化剤の供給ライン上に搭載され得る。
【００２８】
触媒床３は、流体酸化剤のための曲がりくねった経路を規定するために配置された、たとえば銀、白金、酸化マンガンなどの網または格子、またはいくつかの積層格子、または複数の球を含み得る。明らかに、触媒床３は、流体酸化剤または過酸化水素の分解反応の活性化エネルギーを減少させるように設計されている。
【００２９】
それに代えて、分解ユニットは消費可能な触媒を含んでいてもよく、すなわち、それは使用中に消費され、それはとりわけ、グループの重量の経時的減少を伴う。
【００３０】
触媒床３が一方ではグループまたはシステムの重量を増加させる場合、それは他方では、グループ自体のスイッチオンおよびオフの制御可能性および保証を向上させる。
【００３１】
分解ユニット３から分解または分離された流体酸化剤または過酸化水素は次に、燃焼室２に供給されて固体燃料と接触し、燃焼反応を引き起こす。燃焼室２は、触媒床３の上部または下流に、希望すれば、触媒床３からの流体酸化剤の分解化合物の放出ライン上に搭載され得る。
【００３２】
燃焼ガスは次に、たとえば潜水艇または潜水艦Ｓのバラスト水用のバラストまたは貯蔵タンクＢにおいて、分配装置６を用いて放出される。分配装置６は、燃焼室２の上部または下流に、希望すれば、燃焼室２からの燃焼化合物の放出ライン上に搭載される。
【００３３】
この点に関し、燃焼ガスは２０００℃に匹敵する温度であるかもしれず、この温度は高過ぎてグループの構成要素または潜水艦の貯蔵タンクを破壊するかもしれない。
【００３４】
したがって、分配装置６は、燃焼室２の上部に搭載された、または燃焼室２と流体連通するノズル６ａと、放出器６ｂと、水などの冷却流体のタンク、たとえばバラストまたは貯蔵タンクＢとノズル６ａまたは放出器６ｂとの間に延びる供給ダクト６ｃなどとを含み得る。
【００３５】
この構造では、燃焼室２を出る燃焼ガスはノズル６ａに入り、たとえば燃焼ガス用の通路断面の減少に続いて、燃焼ガスの速度の増加と圧力の減少とが決定され、それは、それぞれのタンクからの冷却流体が付加ダクト６ｃに吸込まれ、次に燃焼ガスとともに放出器６ｂに吸込まれることを引き起こして、燃焼ガスを冷却する。
【００３６】
放出器６ｂは、上述のように冷却された燃焼ガスを、直接的にまたは間接的に貯蔵タンクＢに流し込み、したがって供給し、それは、貯蔵タンク内の圧力を増加させ、貯蔵タンクを空にすることを決定する。
【００３７】
このメカニズムは、潜水艇または潜水艦Ｓの迅速な出現を決定するために、もしくは、その移動と、希望すれば、潜水艇または潜水艦Ｓの傾きとを制御するために使用され得る。この点に関し、すべての貯蔵タンクまたはそれらの少なくとも大部分を空にすることによって、潜水艇または潜水艦Ｓの出現が決定されるが、１つ以上の貯蔵タンクを制御された態様で空にすることによって、潜水艇または潜水艦Ｓを決定された態様で傾けることが可能であり、このため、潜水艦Ｓをより良好にまたはより速く操縦することができる。
【００３８】
この点に関し、貯蔵タンクは通常開いているが、貯蔵タンクに破裂ディスクまたはバッフルを設けることもでき、それらは、貯蔵タンク自体の内部の圧力の決定された増加に続いて押しつぶされ、貯蔵タンクＢを空にすること、または貯蔵タンクＢを空にする速度を増加させることを引き起こす。
【００３９】
好ましくは、グループまたはシステム１は、流体酸化剤または過酸化水素を容器４から触媒床３に向かって押し進めることができる推力または加圧ユニット５も含み、触媒床３から、過酸化水素の分解化合物が燃焼室２に供給される。
【００４０】
推力または加圧ユニット５は、たとえば１００〜３００気圧、希望すれば約２００気圧の窒素といった加圧流体の受容器を含み、それは、第１のバルブアセンブリ８によって、およびオプションで圧力調整器または減圧器によって遮られた輸送ダクトを用いて、容器４と流体連通している。
【００４１】
圧力調整器は、触媒床３への過酸化水素の一定の流れ、ひいては一定の組立動作を得るために必要とされる。
【００４２】
また、グループ１は、流体酸化剤の送出、またはこの酸化剤を容器４から触媒床３へ分配するための通路を遮るように設計された第２のバルブアセンブリ９も含み得る。
【００４３】
グループ１はまた、推力または加圧ユニットを含んでいなくてもよいが、たとえば、流体酸化剤の加圧、または容器４から触媒床３への流体酸化剤の運搬を決定するように、圧力によって、または好適な圧力手段を用いて壊すことができるカートリッジなどが設けられてもよい。
【００４４】
しかしながら、加圧された過酸化水素を装置１に貯蔵することも可能であろう。
第１のバルブアセンブリ８および／または第２のバルブアセンブリ９は、制御ユニットによって、または好適なセンサを用いて制御され、好適に動作され得る。
【００４５】
グループは、０〜５００ｍの深度範囲で異なる圧力で動作することができる。
出ていく高温ガスは、潜水艦の構造に影響を与えないように、好ましくは８００℃を上回らない。
【００４６】
好ましくは、グループの起爆は提供されない。なぜなら、流体酸化剤または過酸化水素は、触媒床３と接触すると分解し、したがって熱くなり、燃焼室２に入るときには、それは燃焼反応の起爆を保証するような状態にあるためである。
【００４７】
固体燃料は、たとえばポリエチレン、ナイロン、ポリカーボネート、およびプレキシグラス（ただしそれらに限定されない）といった、パラフィン、熱可塑性材料、または熱硬化性材料からなる群から選択される不活性材料を含んでいてもよい。
【００４８】
有利には、グループはまた、流体酸化剤の、もしくは分解された過酸化水素の、もしくは流体酸化剤または過酸化水素の分解の化合物の渦流を発生させ、燃焼室２に、次に固体燃料２ａ上に送出し、これにより燃焼の燃焼効率、後退速度、および安定性を増加させるように設計された、渦流を発生させるための装置１０を含む（図２参照）。
【００４９】
渦流とは、たとえば（燃焼室２で）分解化合物の流れにさらされる固体燃料のある表面または大半の表面に平行であるだけでなく、乱流または渦巻または螺旋状の態様で固体燃料に衝突するような成分を有する、流体酸化剤または過酸化水素の分解の化合物の流れを意味する。希望すれば、渦流は接線成分を有し、希望すれば、その表面またはそれらの表面に対して軸方向にある。
【００５０】
この点に関し、固体燃料２ａは、円筒状要素を形成するように燃焼室２に配置され得る。この場合、流体酸化剤または過酸化水素の分解の化合物の流れは、円筒状要素によって画定された台座２ｂに沿って運ばれるであろう。流体酸化剤または過酸化水素の流れの軸方向成分は、円筒状要素の長手方向対称軸とほぼ平行なこの流れの成分であり、一方、接線成分は、この軸に直角であり、または直交する。
【００５１】
装置１０はしたがって、触媒床３と燃焼室２との間に配置され、たとえば、前記対称軸に対してたとえば螺旋または渦巻または湾曲パターンを有する１つまたは複数の貫通孔１２を規定するプレート１１を含み得る。より具体的には、孔１２は、触媒床３から燃焼室２に向かう過酸化水素の分解の化合物の運搬方向と平行な主進展軸を有していない。
【００５２】
それに代えて、渦流を発生させるための装置は、フランジ端と画定孔とを有するカップ状のまたは同様の要素を含み、画定孔は、触媒床３から燃焼室２に向かう過酸化水素の分解の化合物の進行または運搬方向に直角であり、または直交する。
【００５３】
希望すれば、起動バルブが、分解された過酸化水素の質量流を制御するために燃焼室２への入口に設けられてもよく、それにより、グループまたはガス発生器の制御、スイッチオフおよび再点火を希望通り必要に応じて可能にする。
【００５４】
本発明に従ったグループは、貯蔵ケーシングに搭載されてもよい。
上述のようなグループ１を１つ以上備えた潜水艇または潜水艦Ｓも、本発明の目的である。この潜水艇または潜水艦Ｓは、たとえば潜水艇または潜水艦Ｓのそれぞれの側面上に拘束された、水などのバラスト流体用の１つ以上のバラストまたは貯蔵タンクＢと、バラストまたは貯蔵タンクＢ内に収容され、もしくは、他の態様でバラストまたは貯蔵タンクＢに通じる、１つ以上のグループとを含む。もちろん、貯蔵タンクは、少なくとも最初は、水またはバラスト流体で満たされている。
【００５５】
この場合、分配装置６、より特定的には放出器６ｂは、貯蔵タンクＢに直接的にまたは間接的に通じており、したがって、グループにおいて発生し、特に上述のように冷却された燃焼ガスを供給し、それは、貯蔵タンク内の圧力を増加させ、貯蔵タンクを部分的にまたは完全に空にすることを決定する。
【００５６】
上述のように、貯蔵タンクは開いていてもよく、ディスクまたは破壊バッフルが設けられてもよい。
【００５７】
基本的に、本発明に従ったグループでは、潜水艇または潜水艦Ｓの迅速な出現のための、ならびに／もしくは、潜水艇または潜水艦Ｓの移動または進行を制御するための、方法を実現することが可能であり、当該方法は、
−  本発明に従ったグループ１を配置するステップと、
−  それぞれの分配装置６が潜水艇または潜水艦Ｓのバラスト流体の貯蔵タンクＢに流すような態様で、グループ１を収容するステップと、
−  分解ユニット３が流体酸化剤を分解または分離するように、分解ユニット３に対する流体酸化剤の送出を制御するステップと、
−  燃焼室２への流体酸化剤の分解の化合物の送出を制御または決定して固体燃料２ａと接触させ、流体酸化剤の分解の化合物と固体燃料２ａとの燃焼反応を引き起こし、それによって燃焼ガスを発生させるステップと、
−  燃焼ガスを分配装置６を通して貯蔵タンクＢに放出し、それが空になるようにするステップとを含む。
【００５８】
また、渦流の発生のための装置１０が設けられる場合、化合物の渦流を発生させ、それを燃焼室２に、次に固体燃料質量２ａ上に送出するような、装置１０における流体酸化剤の分解の化合物の送出が、命令または決定される。
【００５９】
グループ内に存在する構成要素（たとえばノズル６ａ、放出器６ｂ、および付加ダクト６ｃ）に依存して、他の処理ステップも提供されてもよい。
【００６０】
理解されるように、使用される構成要素の量的範囲は、すでに存在する潜水艦またはユニットのサイズといった、特定の使用事例に依存する。
【００６１】
このように、発生ガスの圧力プロファイルを希望通り制御することができ、このため、上昇段階中のガス発生器の能動的制御が得られる。
【００６２】
基本的に、本発明に従ったグループは、流体酸化剤と固体推進剤とを有するハイブリッド推進剤ガス発生器に基づいたＥＢＤであり、それは、極度の動作汎用性を可能にする。なぜなら、それは、燃料の暗示された不活性性質、および酸化剤に関する限られた安全性の問題のおかげで、スイッチオンおよびオフされることができ、限られた開発、管理および再充填コストを有するためである。
【００６３】
本発明はしたがって、固体ガス発生器に基づいたＥＢＤシステムを、ハイブリッドガス発生器と置換えることを保証する。
【００６４】
本発明によれば、過酸化水素は触媒床へ通され、触媒床は、酸化水素の高温での酸素および水蒸気への分解を決定する。そして、分解生成物は燃焼室に注入され、燃焼の開始およびエンジンの点火を引き起こす。
【００６５】
酸化剤の流れはまた、燃焼室に入る質量流を制御する起動バルブを通して管理されてもよく、このため、ガス発生器の制御、スイッチオフおよび再点火を希望通り必要に応じて可能にし、このため、固体推進剤またはガス発生器では得られない汎用性を確実にする。
【００６６】
しかしながら、燃料は不活性であり得るため、それは、酸化剤との偶発的接触の結果、これが高温ガスへと分解される場合を除き、反応せず、このため、いかなる内部漏れに対してもシステムを安全にする。
【００６７】
また、完全に不活性である燃料または推進剤の場合、それは静電気的および電磁気的性質の障害に敏感ではない。
【００６８】
使用される過酸化水素を安定化させることもでき、このため、酸化剤が偶発的に滴下した場合の問題を減少させる。さらに、過酸化水素は無毒である。
【００６９】
グループまたはシステムは次に、酸化剤を再度貯蔵し、燃料または燃料粒を交換するだけで補充され得る。この点に関し、酸化剤は無毒で燃料は不活性であるため、この手順は安価である。
【００７０】
また、使用される材料も安価である。
本発明に従ったグループでは、発生ガスの圧力プロファイルを希望通り制御することが可能であり、とりわけ、上昇段階中のガス発生器の能動的制御を実行することも可能になり、潜水艦を駆動するシステムまたは人員による上昇速度プロファイルの能動的制御を可能にする。
【００７１】
この発明の変更および変形は、請求項によって定義される保護の範囲内で可能である。
【図１】
2020523253.tif 000003
【図２】
2020523253.tif 000004
【図３】
2020523253.tif 000005
【国際調査報告】
2020523253.tif 000006
2020523253.tif 000007
2020523253.tif 000008